(57)【要約】流動する媒体を障害物（１２）の周囲で遷移させ、前記流動する媒体が、よどみ点の減少および障害物（１２）の下流でほぼ均一な流動特性を呈する、射出成形システムにおけるフロー・デフレクタ装置および方法。
2004520189.tif 000002
【特許請求の範囲】
【請求項１】
射出成形システムにおいて、
流入口と、
流出口と、
前記流入口と前記流出口の間にある少なくとも１つの分流器であって、
ほぼ対称な２つの内側の壁を有するトーピードと、
前記各内側の壁からそれぞれ離隔され、それによってほぼ対称な２つの漏斗状チャネルを画定している２つの外側の壁とを備え、前記各内側の壁および前記各外側の壁がほぼ同じ長さである分流器とを備える、流動する媒体流中のフロー・デフレクタ。
【請求項２】
バルブステムをさらに備え、
前記バルブステムが、デフレクタ本体内に摺動自在に挿入され、前記媒体の流れを開始および停止するように動作可能に位置調整され、
前記トーピードおよび前記外側の壁が、前記デフレクタ本体の外側表面上に形成されている、請求項１に記載のフロー・デフレクタ。
【請求項３】
前記デフレクタ本体がテーパ付けされている、請求項２に記載のフロー・デフレクタ。
【請求項４】
前記トーピードおよび前記外側の壁が、前記バルブステム上に形成されている、請求項２に記載のフロー・デフレクタ。
【請求項５】
第３の溶融物通路をその中に有する細長いノズル本体と、
前記ノズル本体の前記第３の溶融物通路内に挿入された前記デフレクタ本体と、
前記デフレクタ本体を通って、前記ノズル・ハウジングのノズル出口へ作動可能に延びている前記バルブステムと、
前記媒体を前記ノズル本体内の第２の溶融物通路へ通すための前記デフレクタ本体内の第１の溶融物通路とをさらに備える、請求項２に記載のフロー・デフレクタ。
【請求項６】
前記第２の溶融物通路に対する前記流入口の整合状態を維持するための位置決めピンをさらに備える、請求項５に記載のフロー・デフレクタ。
【請求項７】
前記媒体を前記ノズル・ハウジング内の追加の前記第２の溶融物通路に通すために前記デフレクタ本体内に配置された追加の前記第１の溶融物通路と、
前記媒体を追加の前記トーピードの周囲に通すための追加の流入口と、
前記追加のトーピードと離隔され、それによって、前記媒体を前記流出口に通すための追加の漏斗状チャネルを形成する追加の外側の壁とをさらに備える、請求項５に記載のフロー・デフレクタ。
【請求項８】
前記第１の溶融物通路の、前記第２の溶融物通路および前記流入口に対する前記第１の溶融物通路の整合状態を維持するための位置決めピンをさらに備える、請求項７に記載のフロー・デフレクタ。
【請求項９】
射出成形システムにおいて、
流動する媒体を少なくとも１つのノズル・アセンブリに少なくとも１つの溶融物チャネルによって通すために、マニホールド・プレートとバッキング・プレートの間に固定され、加熱されたホットランナ・マニホールドと、
前記マニホールド内に挿入された少なくとも１つのデフレクタ・ハウジングとを備え、前記デフレクタ・ハウジングが、
前記媒体を流出口に通すために前記溶融物チャネルと整合する流入口と、
前記流入口と前記流出口の間に配置された少なくとも１つの漏斗状チャネルを形成しているトーピードおよび外側の壁と、
前記デフレクタ・ハウジングを通って前記ノズル・アセンブリのノズル出口へ作動可能に延び、前記媒体の流れを制御するバルブステムとをさらに備える、フロー・デフレクタ。
【請求項１０】
前記ノズル出口を開放および狭窄させる前記バルブステムの移動のために前記バルブステムに取り付けられたピストン・ヘッドをさらに備える、請求項９に記載のフロー・デフレクタ。
【請求項１１】
前記ノズル・アセンブリに熱を伝えるヒータをさらに備える、請求項１０に記載のフロー・デフレクタ。
【請求項１２】
前記フロー・チャネルと前記流入口との正確な整合状態を維持するための位置決めピンをさらに備える、請求項１０に記載のフロー・デフレクタ。
【請求項１３】
前記ノズル・アセンブリを前記マニホールドへ付勢するために前記ノズル・アセンブリと連絡しているばね手段をさらに備える、請求項１２に記載のフロー・デフレクタ。
【請求項１４】
前記トーピードが、前記デフレクタ・ハウジングの外側表面に固定された涙状の突起部から成る、請求項９に記載のフロー・デフレクタ。
【請求項１５】
前記外側の壁が、前記デフレクタ・ハウジングの外側表面を包み込み、前記流出口に隣接する点で交わる、一対の対称に角度の付いた壁から成る請求項９に記載のフロー・デフレクタ。
【請求項１６】
射出成形システムにおいて、
流入口とノズル出口を有する、マニホールド・プレートのキャビティ内に挿入されたノズル・ブシュと、
流動する媒体を前記ノズル出口に通すために前記流入口と整合されている、前記ノズル・ブシュのキャビティ内に挿入されたデフレクタ本体と、
前記流入口に隣接する前記デフレクタ本体の表面から突出し、それによって媒体をトーピードの周囲へ流れさせるトーピードとを備える、フロー・デフレクタ。
【請求項１７】
前記トーピードから離隔され、それによって前記流動する媒体を通すための末広の漏斗状チャネルを形成する、前記デフレクタ本体の表面から突出した外側の壁をさらに備える、請求項１６に記載のフロー・デフレクタ。
【請求項１８】
前記デフレクタ本体の表面から突出しており、前記トーピードから離隔され、それによって、前記流動する媒体を前記ノズル出口に通すための末広の漏斗状チャネルを形成する外側の壁と、
前記デフレクタ本体に作動可能に配置され、前記ノズル出口に隣接して延びている細長いバルブステムとをさらに備え、
前記バルブステムが、前記ノズル出口を通る流動する媒体の移動を制御するように選択的に位置調整される、請求項１６に記載のフロー・デフレクタ。
【請求項１９】
前記バルブステムが、前記ノズル本体および前記デフレクタ本体と同軸状に配置されている、請求項１８に記載のフロー・デフレクタ。
【請求項２０】
射出成形システムにおいて、
ノズル出口に隣接するノズル・アセンブリの末端に同軸状に配置されたノズル・チップを有するノズル本体と、
第１の溶融物通路を有し、前記ノズル・チップに隣接する前記ノズル本体内に同軸状に配置され、前記第１の溶融物通路が、流動する媒体を前記ノズル出口へ移送するために前記ノズル・チップと連通しているスリーブと、
前記第１の溶融物通路と整合しており、前記第１の溶融物通路から流入口へ前記媒体を通す前記ノズル・チップ内のチップ通路と、
前記ノズル・チップの表面から突出しており、媒体がその周囲を流れるようにさせる、前記流入口に隣接するトーピードと、
前記トーピードから離隔され、前記媒体の流れを方向付けるための漏斗状チャネルを形成する、前記ノズル・チップの前記表面から突出する外側の壁とを備え、
前記流動する媒体が、前記ノズル出口から出るとき、ほぼ均一な環状流を呈する、ノズル・アセンブリ内のフロー・デフレクタ。
【請求項２１】
前記媒体を追加の流入口に通すための追加のチップ通路と、
前記ノズル・チップの前記表面から突出している、前記追加のチップ通路と隣接する追加のトーピードと、
前記追加のトーピードから離隔され、前記ノズル・チップの前記表面から突出し、前記媒体の流れを方向付けるための追加の漏斗状チャネルを形成する追加の外側の壁とをさらに備え、前記流動する媒体が、前記ノズル出口から流出するときほぼ均一な環状流を呈する、請求項２０に記載のフロー・デフレクタ。
【請求項２２】
射出成形システムにおいて、
ノズル出口に隣接するノズル・アセンブリの末端に同軸状に配置されたノズル・チップを有するノズル本体と、
第１の溶融物通路を有し、前記ノズル・チップに隣接する前記ノズル本体内に同軸状に配置され、前記第１の溶融物通路が、流動する媒体を前記ノズル出口へ移送するために前記ノズル・チップと連通しているスリーブと、
前記第１の溶融物通路と整合しており、前記第１の溶融物通路から少なくとも１つの流入口へ前記媒体を通す前記ノズル・チップ内の少なくとも１つのチップ通路と、
前記ノズル・チップの周囲の前記媒体の流れを方向付けるための少なくとも１つの漏斗状チャネルを形成している、前記ノズル・チップの前記表面から突出した外側の壁とを備え、
前記流動する媒体が、前記ノズル出口を出るとき、ほぼ均一な環状流を呈する、ノズル・アセンブリ内のフロー・デフレクタ。
【請求項２３】
射出成形システムにおいて、
流入口を設ける工程と、
流出口を設ける工程と、
前記流入口と前記流出口の間で少なくとも１つの分流器を位置決めする工程とを含み、前記分流器が、
ほぼ対称な２つの内側の壁を有するトーピードを設ける工程と、
前記各内側の壁からそれぞれ離隔された２つの外側の壁を設け、それによってほぼ対称な２つの漏斗状チャネルを画定する工程とを含み、
前記各内側の壁と前記各外側の壁がほぼ同じ長さである、障害物の周囲に溶融物流を遷移させる方法。
【請求項２４】
バルブステムを設ける工程と、
デフレクタ本体を設ける工程とを含み、前記バルブステムが、前記デフレクタ本体の中に摺動自在に挿入され、前記媒体の流れを開始および停止させるように作動可能に位置調整され、さらに、
前記トーピードおよび前記外側の壁を前記デフレクタ本体の外側表面上に配置する工程を含む、請求項２３に記載の方法。
【請求項２５】
前記デフレクタ本体がテーパ付けされる、請求項２４に記載の方法。
【請求項２６】
前記トーピードおよび前記外側の壁が、前記バルブステム上に形成される、請求項２４に記載の方法。
【請求項２７】
第３の溶融物通路をその中に有する細長いノズル本体を設ける工程と、
前記デフレクタ本体を、前記ノズル本体の前記第３の溶融物通路内に挿入する工程とをさらに含み、
前記バルブステムが、前記デフレクタ本体を通って前記ノズル・ハウジングのノズル出口へ作動可能に延びており、さらに、
前記媒体を前記ノズル本体内の第２の溶融物通路に通すための前記デフレクタ本体内に第１の溶融物通路を設ける工程をさらに含む、請求項２４に記載の方法。
【請求項２８】
前記第２の溶融物通路に対する前記流入口の整合状態を維持するために位置決めピンを設ける工程をさらに含む、請求項２７に記載の方法。
【請求項２９】
前記媒体を前記ノズル・ハウジング内に追加的に設けられた前記第２の溶融物通路へ通すために前記デフレクタ本体内に配置された追加の前記第１の溶融物通路を設ける工程と、
前記媒体を追加的に設けられた前記トーピードの周囲に通すために追加の流入口を設ける工程と、
前記追加のトーピードと離隔され、それによって前記媒体を前記流出口に通すための追加の漏斗状チャネルを形成する追加の外側の壁を設ける工程とをさらに含む、請求項２７に記載の方法。
【請求項３０】
前記第２の溶融物通路および前記流入口に対する前記第１の溶融物通路の整合状態を維持するための位置決めピンを設ける工程をさらに含む、請求項２９に記載の方法。
【請求項３１】
射出成形システムにおいて、
流入口と、
流出口と、
前記流入口と前記流出口の間に少なくとも１つのデフレクタ・チャネルとを備え、前記チャネルの断面積が徐々に減少し、前記フロー・デフレクタの周囲の前記溶融物流を、前記溶融物が前記流出口に到達したとき、溶融物が均一な環状流およびよどみ点の実質的な減少を呈するように方向付ける、流動する溶融物流内のフロー・デフレクタ。
【請求項３２】
前記デフレクタ・チャネルが、前記流入口から前記流出口に向かって断面積が減少し、それによって前記流入口から前記流出口への前記デフレクタ・チャネル内の体積流量が、実質上線形的な形態でゼロに降下する、請求項３１に記載のフロー・デフレクタ。
【請求項３３】
前記流出口が、均一な環状の断面領域から成る、請求項３１に記載のフロー・デフレクタ。
【請求項３４】
バルブステムをさらに備え、
前記バルブステムが、デフレクタ本体内に摺動自在に挿入されて、前記媒体の流れを開始および停止するように作動可能に配置され、
前記デフレクタ・チャネルが、前記デフレクタ本体の外側表面上に形成されている、請求項３１に記載のフロー・デフレクタ。
【請求項３５】
前記デフレクタ本体がテーパ付けされている、請求項３４に記載のフロー・デフレクタ。
【請求項３６】
前記デフレクタ・チャネルが、前記バルブステムの外側表面上に形成されている、請求項３４に記載のフロー・デフレクタ。
【請求項３７】
第３の溶融物通路をその中に有する細長いノズル本体と、
前記ノズル本体の前記第３の溶融物通路内に挿入された前記デフレクタ本体と、
前記デフレクタ本体を通って、前記ノズル・ハウジングのノズル出口へ作動可能に延びる前記バルブステムと、
前記媒体を前記ノズル本体内の第２の溶融物通路へ通すための前記デフレクタ本体内の第１の溶融物通路とをさらに備える、請求項３４に記載のフロー・デフレクタ。
【請求項３８】
前記第２の溶融物通路に対する前記流入口の整合状態を維持するための位置決めピンをさらに備える、請求項３７に記載のフロー・デフレクタ。
【請求項３９】
前記媒体を前記ノズル・ハウジング内の追加の前記第２の溶融物通路に通すために前記デフレクタ本体内に配置された追加の前記第１の溶融物通路と、
前記媒体を追加の前記デフレクタ・チャネルを通すための追加の流入口と、
前記媒体を前記流出口に通すために前記デフレクタ本体の外側に形成されたほぼ対称な追加のデフレクタ・チャネルとをさらに備える、請求項３７に記載のフロー・デフレクタ。
【請求項４０】
前記第２の溶融物通路および前記流入口に対する前記第１の溶融物通路の整合状態を維持するための位置決めピンをさらに備える、請求項３９に記載のフロー・デフレクタ。
【請求項４１】
射出成形システムにおいて、
少なくとも１つの溶融物チャネルによって流動する媒体を少なくとも１つのノズル・アセンブリに通すために、マニホールド・プレートとバッキング・プレートの間に固定された、加熱されたホットランナ・マニホールドと、
前記マニホールド内に挿入された少なくとも１つのデフレクタ・ハウジングとを備え、前記デフレクタ・ハウジングが、
前記媒体を流出口に通すために前記溶融物チャネルと整合されている流入口と、
前記溶融物の移動方向に減少する断面積を有する、前記流入口と流出口の間に配置されたデフレクタ・チャネルと、
前記デフレクタ・ハウジングを通って前記ノズル・アセンブリのノズル出口へ作動可能に延び、前記溶融物の流れを制御するバルブステムとを備える、フロー・デフレクタ。
【請求項４２】
前記ノズル出口を開閉するための前記バルブステムの移動のために前記バルブステムに取り付けられたピストン・ヘッドをさらに備える、請求項４１に記載のフロー・デフレクタ。
【請求項４３】
前記ノズル・アセンブリに熱を伝えるヒータをさらに備える、請求項４２に記載のフロー・デフレクタ。
【請求項４４】
前記フロー・チャネルと前記流入口との正確な整合状態を維持するための位置決めピンをさらに備える、請求項４２に記載のフロー・デフレクタ。
【請求項４５】
前記ノズル・アセンブリを前記マニホールドに付勢するために前記ノズル・アセンブリと連絡しているばね手段をさらに備える、請求項４４に記載のフロー・デフレクタ。
【請求項４６】
射出成形システムにおいて、
流入口とノズル出口を有する、マニホールド・プレートのキャビティ内に挿入されたノズル・ブシュと、
流動する媒体を前記ノズル出口に通すために前記流入口と整合されており、前記ノズル・ブシュのキャビティ内に挿入されたデフレクタ本体と、
前記流入口に隣接する前記デフレクタ本体の表面上に形成され、それによって媒体を前記デフレクタ本体の周囲へ流れさせるデフレクタ・チャネルとを備え、前記流動する媒体が、前記流入口から前記出口へ流れるとき、よどみ点の実質的な減少を呈するフロー・デフレクタ。
【請求項４７】
前記デフレクタ本体内に作動可能に配置され、前記ノズル出口に隣接して延びている細長いバルブステムとをさらに備え、
前記バルブステムが、前記ノズル出口を通る流動する媒体の運動を制御するように選択的に位置調整される、請求項４６に記載のフロー・デフレクタ。
【請求項４８】
前記バルブステムが、前記ノズル本体および前記デフレクタ本体と同軸状に配置されている、請求項４７に記載のフロー・デフレクタ。
【請求項４９】
射出成形システムにおいて、
ノズル出口に隣接するノズル・アセンブリの末端に同軸状に配置されたノズル・チップを有するノズル本体と、
第１の溶融物通路を有し、前記ノズル・チップに隣接する前記ノズル本体内に同軸状に配置され、前記第１の溶融物通路が、流動する媒体を前記ノズル出口へ移送するために前記ノズル・チップと連通しているスリーブと、
前記第１の溶融物通路と整合しており、前記第１の溶融物通路から流入口へ前記媒体を通す前記ノズル・チップ内のチップ通路と、
前記ノズル・チップの表面上に形成され、媒体を前記ノズル・チップの周囲に流れさせる、前記流入口に隣接するデフレクタ・チャネルとを備え、
前記流動する媒体が、前記ノズル出口から出るとき、ほぼ均一な環状流を呈する、ノズル・アセンブリ内のフロー・デフレクタ。
【請求項５０】
前記媒体を追加の流入口に通すための追加のチップ通路と、
前記ノズル・チップの表面上に形成された前記追加のチップ通路と隣接する追加のデフレクタ・チャネルとをさらに備え、前記流動する媒体が、前記ノズル出口から出るとき、ほぼ均一な環状流を呈する、請求項４９に記載のフロー・デフレクタ。
【請求項５１】
射出成形システムにおいて、
流入口を設ける工程と、
流出口を設ける工程と、
前記流入口と前記流出口の間で少なくとも１つのデフレクタ・チャネルを位置決めする工程とを含み、溶融物が前記流出口に到達したとき、溶融物が均一な環状流を呈し、かつ、よどみ点の実質的な減少を呈するように、前記チャネルは、断面積が徐々に減少し、前記溶融物の流れを、前記フロー・デフレクタの周囲に方向付ける、障害物の周囲で溶融物流を遷移させる方法。
【請求項５２】
バルブステムを設ける工程と、
デフレクタ本体を設ける工程とをさらに含み、前記バルブステムが、前記デフレクタ本体の中に摺動自在に挿入され、前記媒体の流れを開始および停止させるように作動可能に配置され、さらに、
前記デフレクタ・チャネルを前記デフレクタ本体の外側表面上に形成する工程を含む、請求項５１に記載の方法。
【請求項５３】
前記デフレクタ本体がテーパ付けされる、請求項５２に記載の方法。
【請求項５４】
前記デフレクタ・チャネルが、前記バルブステム上に形成された、請求項５２に記載の方法。
【請求項５５】
第３の溶融物通路をその中に有する細長いノズル本体を設ける工程と、
前記デフレクタ本体を、前記ノズル本体の前記第３の溶融物通路内に挿入する工程とをさらに含み、
前記バルブステムが、前記デフレクタ本体を通って前記ノズル・ハウジングのノズル出口へ作動可能に延在し、さらに、
前記媒体を前記ノズル本体内の第２の溶融物通路に通すための前記デフレクタ本体内の第１の溶融物通路を設ける工程を含む、請求項５２に記載の方法。
【請求項５６】
前記第２の溶融物通路に対する前記流入口の整合状態を維持するために位置決めピンを提供する工程をさらに含む、請求項５５に記載の方法。
【請求項５７】
前記媒体を前記ノズル・ハウジング内に追加的に設けられた前記第２の溶融物通路へ通すために前記デフレクタ本体内に配置された追加の前記第１の溶融物通路を設ける工程と、
追加的に設けられた前記デフレクタ・チャネルを通して前記媒体を通すための追加の流入口を設ける工程とをさらに含む、請求項５５に記載の方法。
【請求項５８】
前記第２の溶融物通路および前記流入口に対する前記第１の溶融物通路の整合状態を維持するための位置決めピンを設ける工程をさらに備える、請求項５７に記載の方法。
【発明の詳細な説明】
【技術分野】
【０００１】
本発明は、溶融物チャネル内部の循環流を均一な環状流に変換するための装置および方法に関する。より具体的には、本発明は、均一な溶融物流の改善、および、溶融物流が射出成形機および／またはホットランナ・システムを通過するときのよどみ点の除去のための装置および方法に関する。
【背景技術】
【０００２】
射出成形プロセスでは、多くの変数により、均一で高品質な部品を作成するために重大な課題が生じる。これらの変数は、マルチ・キャビティ金型の中では著しく複雑化する。ここでは、ショット間の変動の問題だけでなく、所与のショット中の個々のキャビティ間に存在する変動の問題がある。せん断に起因する流れの不均衡が、工業規格のマルチ・キャビティの「ナチュラル・バランス」・ランナ・システム（”naturally  balanced” runner system）を使用するすべてのマルチ・キャビティ金型内に生じ、それによって各金型内のせん断力および熱履歴が、溶融材料が、金型キャビティへ流れるとき、どのホットランナ・パスを取るかにかかわらず等しく保持されると考えられている。これらの流れの不均衡は、重要であると判明しており、マルチ・キャビティ金型内の製品変動にとって最大の要因であるかもしれない。
【０００３】
「ナチュラル・バランス」・ランナ・システムと伝統的に称されてきた、幾何学的なバランスにもかかわらず、これらのランナ・システムは、マルチ・キャビティ金型内の様々なキャビティへ送られる溶融状態のかなりの変動を誘発することがあると考えられてきた。これらの変動には、溶融温度、圧力、材料特性が含まれる可能性がある。このことは、マルチ・キャビティ金型の中で、製品のサイズ、形状および機械的特性における変動に起因する。
【０００４】
加圧された溶融物の滑らかな流れを提供することが、ある材料の成形の成功のために重要であることがよく知られている。溶融物通路の急激な屈曲、隅部またはデッド・スポットは、処理される溶融物のある部分にとって受け入れがたい滞留時間をもたらし、このことは、色の切替えの遅延を生じさせ、かつ／または、ポリ塩化ビニル、およびポリエステルまたはその他の高温結晶性材料などの、分解またはある材料の顔料の分解に至る可能性がある。大部分のマルチ・キャビティ・バルブ・ゲート射出成形システムでは、溶融物流通路が、マニホールドから各ノズルへ延びるとき、方向を９０°変更し、往復するバルブステムの周囲の孔と連結することが必要とされる。
【０００５】
これらの問題点は、それを克服するために精細な公差の機械加工を必然的に要求し、Ｇｅｌｌｅｒｔに対する米国特許第４，０２６，５１８号に開示されているようなノズル内に着座した別個のブシュを設けることによってこれを容易にすることがよく知られている。マルチ・キャビティ成形の類似の構成が、Ｇｅｌｌｅｒｔに対する米国特許第４，５２１，１７９号に示されている。Ｇｅｌｌｅｒｔに対する米国特許第４，４３３、９６９号はまた、マニホールドとノズルの間にブシュが配置されたマルチ・キャビティ構成を示している。Ｓｃｈｍｉｄｔに対する米国特許第４，７０５，４７３号にも示されているが、ブシュ内の溶融物ダクトが、バルブ部材の孔の両側に接続された２つの滑らかな曲線状のアームに分かれるブシュを提供している。Ｓｃｈｍｉｄｔ他に対する米国特許第４，７４０，１５１号は、マニホールドとバック・プレートの間に取り付けられたフランジ付き部分を有する、異なる密封および保持ブシュを備えるマルチ・キャビティ・システムを示している。
【０００６】
Ｆｕｊｉｔａに対する米国特許第４，４４３，１７８号は、普通ならば形成されるよどみ点の除去を促進するためにバルブステムの後ろに配置された単純な面取り表面を開示している。
Ｇｅｌｌｅｒｔに対する米国特許第４，９３２，８５８号は、よどみ点を除去するために、マニホールド内の溶融物通路とバルブステム周囲の溶融物通路を接続する、滑らかな曲線状の２つのアームを有する溶融物ダクトを備える、溶融物流中のマニホールドと射出ノズルの間に着座した別個のブシュを示している。
【０００７】
図７および８に示すような多数のバルブ・ノズルを有する別のバルブ・ノズル・デバイスも知られている。プラスチック樹脂は、第１の通路３０を通過し、次に第１の通路３０に対してほぼ直角にバルブ・チャンバ内へ延びている第２の通路３０ａを通過し、次にノズル（不図示）を通って金属製の金型内へ射出される。ニードル・バルブ３２が、ノズルに隣接して設けられている。
従来型のマルチ・バルブ・ノズル・デバイスの上記の構造では、第１の通路３０に対してほぼ直角に延びている第２の通路３０ａは、ニードル・バルブ３２を含む平面内にあるので、図７および８に示したような位置Ｐ１およびＰ２で樹脂によどみを生じさせる。プラスチック樹脂のよどみは、各バルブ・チャンバ内で圧力損失を生じさせると共に、色の変更および均一な溶融速度を阻害する。プラスチック樹脂のよどみは、従来技術の適用によって多かれ少なかれ減少されるが、今までは、よどみの完全な除去または、およびその結果生じる均一な環状流は不可能であった。
【０００８】
以下の参考文献、Ｂ．Ｐｒｏｃｔｏｒによる「Ａｎａｌｙｓｉｓ  ｆｏｒ  Ｅｘｔｒｕｓｉｏｎ  Ｄｉｅ  Ｄｅｓｉｇｎ」，ＳＰＥ  ＡＮＴＥＣ，Ｗａｓｈｉｎｇｔｏｎ，Ｄ．Ｃ．ｐａｇｅｓ  ２１１−２１８（１９７１）、および、Ｗ．Ｍｉｃｈａｅｌｉによる「Ｅｘｔｒｕｓｉｏｎ  Ｄｉｅｓ  ｆｏｒ  Ｐｌａｓｔｉｃｓ  ａｎｄ  Ｒｕｂｂｅｒ」，Ｃａｒｌ  Ｈａｎｓｅｒ  Ｖｅｒｌａｇ，Ｍｕｎｉｃｈ，ＩＳＢＮ  ３−４４６−１６１９０−２（１９９２）も参照されたい。
以下の、参考文献、Ｗ．Ｍｉｃｈａｅｌｉによる「Ｅｘｔｒｕｓｉｏｎ  Ｄｉｅｓ  ｆｏｒ  Ｐｌａｓｔｉｃｓ  ａｎｄ  Ｒｕｂｂｅｒ」，Ｃａｒｌ  Ｈａｎｓｅｒ  Ｖｅｒｌａｇ，Ｍｕｎｉｃｈ，ＩＳＢＮ  ３−４４６−１６１９０−２（１９９２）も参照されたい。
【０００９】
バルブステム、ノズル、ノズル・チップ、バルブステム・ガイド、トーピードなどの溶融物流の障害物の周囲で流れが転向される結果生じる、射出成形システムおよび／またはホットランナ・システム内の流れの不均衡およびよどみ点を、実質的に減少させる方法および装置に対する必要性が存在する。
【００１０】
（発明の概要）
本発明の主な目的は、ほぼ均一な環状流の速度プロファイル（速度分布）を生成する、溶融物チャネル内のフロー・デフレクタを提供することである。
本発明の別の目的は、溶融物がチャネル内の障害物の周囲を流れるときに生じるチャネル内のよどみ点を除去する溶融物チャネル内のフロー・デフレクタを提供することである。
【００１１】
本発明のさらに別の目的は、射出成形システム内での迅速な色の切換えをし、それによって、色の切換えの間の機械の休止時間を減少させるための手段を提供することである。
本発明のさらに別の目的は、溶融物流中のよどみ点によって生じる悪化を減少させて、射出成形システムを通って感熱材料を移送するための手段を提供することである。
本発明のさらに別の目的は、製品の品質改善に至る、金型キャビティへのほぼ均一な環状流を提供することである。
本発明のさらにまた別の目的は、高品質の成形品およびより長い耐用年数のバルブステムがその結果得られる、射出成形機／ホットランナ・システム内の改良型のバルブステムのガイドおよび支持を提供することである。
本発明のさらに別の目的は、溶融物流が、機械から金型キャビティへ流れるとき、様々な角度で溶融物流を転向するための、改良型の費用効果のある手段を提供することである。
【００１２】
本発明のさらに別の目的は、溶融物がバルブステムまたはその他の流れの障害物の周囲を流れるときに生じるよどみ点を除去することによって、改良された成形品の品質を呈する共射出成形（co-injection）ノズルを提供することである。
上記の目的は、好ましくはバルブステムまたはその他の流れの障害物の周囲で溶融物流が循環流から環状流に変換される、溶融物チャネル内のフロー・デフレクタを提供することによって達成される。デフレクタは、その外側表面上に配置された徐々に広がるチャネルを有する円筒形の本体を備える。チャネルは、溶融物が円筒形の本体を下向きに移動する際、溝の第１および第２の壁面が対称な２つの逆漏斗状のキャビティを形成するようになっている。チャネルの壁面は、溶融物が移動する方向に、ほぼ同じ長さを有するように構成されている。この構成においては、溶融物流が、円筒形の本体の周囲を流れる際に、溶融物流は手前側で制限され円筒形本体の背部のまわりで流れは促進される。流れを円筒形の本体の背部の周囲へ促進させることは、いかなるよどみ点も「洗い流す」ことを助けることとなり、また、溶融物が溝の広い端部を出るとき、均一な環状流速も促進する。
【００１３】
好ましい一実施形態は、その外面に配置された徐々に狭窄するチャネルを備える円筒形の本体を備える。チャネルは、深さおよび幅が減少するように形成され、それによって、溶融物がチャネル内に入り、チャネルから徐々に溢れ出す。チャネルを徐々に狭窄させることは、円筒形本体の背部の周囲へ溶融物を方向付けることを助け、このことは、溶融物の均一な環状流の提供を行い、また、流れの障害物の背後のよどみ点を除去することを助ける。
【００１４】
本発明のさらなる目的および利点は、以下で明らかになるであろう。
【発明を実施するための最良の形態】
【００１５】
まず図１および１Ａを参照すると、本発明の背景にある基本原理を示す簡略化された平坦な構造が示されている。サイド・フィード・マンドレル・ダイの原理（side fed mandrel die principles）と同様に、溶融物流は、流入口１８においてフロー・デフレクタ１０に対して所定の角度で流入することになる。溶融物流は、分割され、トーピード１２の周囲およびトーピード壁面１４と外側の壁１６の間を移動し、その中のキャビティが、逆漏斗状のチャネル１９を形成する。漏斗状のチャネル１９は、流入口１８に隣接する狭窄部２０によって画定される。狭窄部２０は、流れが、漏斗状チャネル１９の出口１７に向かって移動するにつれて、断面積が増加する。図１Ａに示すように、等しい断面積を呈する一対のバランスのとれたキャビティ２２が、トーピード１２の両側に形成されている。溶融物が出口１７へ到達するときに均一な流速Ｖを生成するために、トーピード壁面１４（Ｌ２として示す）と外側の壁１６（Ｌ１として示す）の長さは、ほぼ等しい。
【００１６】
ここで図２、２ａおよび２ｂを参照すると、本発明の好ましい実施形態による共射出成形（co-injection）ホットランナ・ノズル１１が概略的に示されている。この好ましい実施形態は、デフレクタ本体２６の周囲を囲む図１に示したようなデバイスを含む。デフレクタ本体２６は、ノズル本体２４に挿入され、溶融物がデフレクタ本体２６に対してほぼ垂直な流入口１８へ入るように第２の溶融物通路３０と整合している。この整合状態は、位置決めピン３４によって固定される。位置決めピン３４は、ねじ、リベット、スプリングピン、ダウエルピンなど当技術分野で知られているいかなる適切な整合手段であってもよい（しかしそれに限定されない）。デフレクタ本体２６は、射出成形機（不図示）またはホットランナ・マニホールド（不図示）からの第１の溶融物を通すために第２の溶融物通路３０と整合する第１の溶融物通路２８をさらに備える。
【００１７】
バルブステム３２が、デフレクタ本体２６の内部に配置され、その長さにわたって延在している第３の溶融物通路３３を通って延びている。第３の溶融物通路３３は、第２の溶融物の流れを金型キャビティ内へ通すために設けられている。バルブステム３２は、当技術分野でよく知られているように、上向きおよび下向きの動作を通じて、ノズル出口３６を通る２つの溶融物流の流れを開始および停止し、それによって、金型キャビティの充填を制御するように選択的に位置調整される。共射出成形（co-injection）として一般に知られているこの構成では、金型キャビティは、例えば、多色、異種の溶融材料などを実施するために２つ以上の異なる溶融物で充填されてもよい。
【００１８】
溶融物が第２の溶融物通路３０から流入口１８へ流れるとき、溶融物は、バルブステム３２の長手方向軸にほぼ垂直なデフレクタ本体２６の外側の壁に当たる（しかし、垂直でない流れの衝突も容易に成し得る）。トーピード１２および外側の壁１６が存在しない場合、溶融物は、流入口１８に最も近いデフレクタ本体２６の面に沿って流れることとなり、それによって、デフレクタ本体２６の背後によどみ点を生じさせる。しかし、この好ましい実施形態では、溶融物流が、トーピード壁面１４および外側の壁１６に衝突し、それによって、流れを漏斗状チャネル１９を通るものとデフレクタ本体２６の背部の周囲のものとにそらす。
【００１９】
また、トーピード壁面１４および外側の壁１６は、ほぼ同じ長さで設けられ、このことによって、溶融物がデフレクタ本体２６に沿って移動するとき溶融物がほぼ等しい距離を流れる。溶融物が出口１７に達するときまでには、溶融物の流速は本質的に等しく、その結果溶融物の均一な環状流が生じる。
【００２０】
図２ｂに、図２に示したものと類似した２重取入口共射出成形ノズルが示されている。これら２つの好ましい実施形態の間の顕著な違いは、もう一方の第１の溶融物通路と直径方向に対向する追加の第１の溶融物通路２８ａの使用である。この実施形態では、同一の第２の漏斗状チャネル１９ａを画定する同一のトーピード１２ａおよび外側の壁１６ａが設けられている。この構成で、よどみ点の除去および均一な環状速度の生成が達成される。
【００２１】
図３を参照すると（類似の特徴は類似の番号を有する）、本発明による別の好ましい実施形態が概略的に示されている。金型またはそれと類似のものの中にプラスチック材料を射出するためのホットランナ・バルブ・ゲート・システム１００が示されている。システムは、バッキング・プレート１０２およびマニホールド・プレート１０４を含む。システムは、溶融したプラスチック材料を金型（不図示）内に導入するためのノズル・アセンブリ１０８と、供給源（不図示）からノズル・アセンブリ１０８へプラスチック材料を通すことを可能にするマニホールド／ブシュ装置１１０をさらに含む。マニホールド１３８内に挿入され、それによってマニホールド１３８を加熱するマニホールド・ヒータ１３９が示されており、マニホールド１３８により、溶融物チャネル１４２およびデフレクタ・ハウジング・チャネル１４４の中を流れるプラスチックが加熱される。
【００２２】
図３に示すように、ノズル・アセンブリ１０８は、ノズル本体１１２と、チップ１１４と、ノズル・ヒータ１１６と、ばね手段１１８と、ノズル・インシュレータ１１３から成る。ノズル本体１１２は、典型的には鋼製であるが、チップ１１４は、ベリリウム／銅などの当技術分野で知られているいかなる高熱伝導性の適切な材料から形成されてもよい。ノズル本体１１２は、溶融したプラスチック材料がそれを通って流れる軸方向チャネル１２０を有する。チップ１１４は、軸方向チャネル１２０の終端分部を包囲している。
必要に応じて、ノズル・チップ１１４は、ノズル・チップ１１４の下流側の端部に断熱を目的としたシース（sheath）１２２を含んでもよい。シース１２２は、予め製造された樹脂製材料から形成されてもよい。別法として、シース１２２は、第１の作動サイクルで射出された樹脂のオーバー・フローから形成されてもよい。ノズル・インシュレータ１１３は、マニホールド・プレート１０４のキャビティ内に設置され、ノズル本体１１２とマニホールド・プレート１０４の間の熱伝達を減少させるように作用し、それによって、溶融したプラスチック材料が軸方向チャネル１２０を通って流れるとき、溶融したプラスチック材料を高い温度に維持する。ノズル・インシュレータ１１３は、チタニウムなどの当技術分野で典型的に知られているいかなる適切な絶縁材料から形成されてもよい。
【００２３】
ノズル・ヒータ１１６は、ケーブル１２４を用いて電流が導入される、当該技術分野で知られているいかなる適切な電気式ヒータであってもよい。図３に示すように、ノズル・ヒータ１１６は、ノズル本体１１２の一部を包囲している。
ノズル本体１１２内のゲート１２８の開閉を可能にするために、バルブステム１２６が設けられている。バルブステム１２６は、デフレクタ・ハウジング１３０内の通路を通ってノズル本体１１２内へ延びる鋼製のロッドによって形成できる。ゲート１２８の反対側のバルブステム１２６の端部は、止めねじ１５４によってピストン・ヘッド１３１に接続されている。
ピストン・ヘッド１３１は、デフレクタ・ハウジング１３０の上部先端部を含み、かつ、円筒形壁部１３４によって形成された円筒ハウジング内に収容されている。ピストン・ヘッド１３１の上から下への動きによって、バルブステム１２６が、溶融したプラスチック材料の流れを制限するように、ゲート１２８を閉じる位置またはゲート１２８の断面積を減少させる位置へ移動する。ピストン・ヘッド１３１の下から上への動きによって、バルブステム１２６が、ゲート１２８を通る溶融したプラスチック材料の流れを増加させるように移動する。
【００２４】
この好ましい実施形態のホットランナ・システムはまた、マニホールド１３８およびその中に挿入されたデフレクタ・ハウジング１３０から成るマニホールド／デフレクタ・ハウジング装置１１０を含む。位置決めピン１２９が、溶融物チャネル１４２に対するデフレクタ・ハウジング１３０の整合状態を固定する。マニホールド１３８が、プレート１０２と１０４の間に収容された分配プレートによって形成されるが、エアギャップ（空隙）１４０によってそこから分離される。バッキング・プレート１０２は、複数の高張力ボルト（不図示）によってマニホールド・プレート１０４に堅く固定される。高張力ボルトは、周期的な成形プロセス中に発生する大きな引張力に耐えなければならない。
【００２５】
マニホールドは、溶融したプラスチック材料を供給源（不図示）から各金型に関連付けられたゲート１２８へ移送するための、ホットランナ・システムの一部を形成している溶融物チャネル１４２を含む。マニホールドは、デフレクタ・ハウジング１３０を挿入する孔１４３をさらに含む。マニホールド１３８は、当技術分野で知られているいかなる適切な金属製または熱伝導性の材料で形成されてもよい。マニホールド・ヒータ１３９は、当技術分野でよく知られており、通常、マニホールド１３８の溝内に着座する円筒形断面を有するワイヤ／セラミック抵抗タイプ・ヒータを備える。
【００２６】
デフレクタ・ハウジング１３０は、バルブステム１２６の一部をガイドする。このバルブステムの支持の増加が、バルブステムの磨耗を減少させ、バルブステムの寿命をかなり延長させるため、このことは本発明の重要な利点である。バルブステムの寿命の延長の結果、維持コストおよび機械の休止時間が減少するであろう。
デフレクタ・ハウジング１３０は、当技術分野で知られているいかなる適切な材料（通常鋼製）からでも形成され、最上部からマニホールド１３８内に挿入するように構成されている。図３に示すように、デフレクタ・ハウジング・チャネル１４４は、マニホールド１３８内の溶融物チャネル１４２およびノズル・アセンブリ１０８の軸方向チャネル１２０と通じている。
【００２７】
既述の実施形態と同様に、デフレクタ・ハウジング１３０は、隅部の周囲およびバルブステム１２６の背後の流れの向きを変える即ち転向させるように作用するトーピード１２および外側の壁１６をさらに備える。溶融物流は、デフレクタ・ハウジング・チャネル１４４に流入し、逆漏斗状チャネル１９を形成するように形づくられた外側の壁１６とトーピード１２の間で直ちに転向される。トーピード壁面１４は、溶融物が出口１７に達するときまでに、溶融物流がほぼ均一な環状流速を呈するように外側の壁１６とほぼ同一の長さを有するように構成されている。この構成では、溶融物は、成形品の品質に不利な影響を与える流れの不均衡を生み出すことなく、９０°方向転換し、バルブステム１２６またはデフレクタ・ハウジング１３０などの障害物の周囲で分割して進む。また、バルブステム１２６の背後で通常形成されるよどみ点が、溶融物をバルブステム１２６の後ろへ流れ回るように方向付けることによって除去される。
【００２８】
前の実施形態は、ノズル本体２４（図２）とは別個のデフレクタ・ハウジング２６（図２）を記載しているが、必要なすべての特徴を組み込んだ単一のブシュを容易に製造することができることに留意されたい。
【００２９】
ここで図４を参照すると（類似の特徴が類似の番号を有する）、本発明による別の好ましい実施形態が概略的に示されている。この実施形態では、デフレクタ本体２６は、単一の溶融物ノズルとしてノズル本体２４に挿入された単一のブシュである。
ここにおいても、バルブステム３２が、デフレクタ本体２６を通って挿入され、それによって、バルブステム３２を支持し、かつ、ガイドし、その一方で溶融物をバルブステムの背部の周囲へ方向付けもする。前の実施形態と同様に、溶融物は、溶融物チャネル１４２から、デフレクタ本体２６の上部フランジ内に配置された第１の溶融物通路２８を通って流れる。溶融物チャネル１４２と第１の溶融物通路２８との整合は、位置決めピン３４によって維持される。次に、溶融物は、ノズル本体２４の内部に配置された第２の溶融物通路３０を通って流れる。
【００３０】
その後、溶融物は、デフレクタ本体２６に接して方向付けられ、そこで、流れが外側の壁１６とトーピード壁面１４によってバルブステム３２の背後へ回り込むように転向される。溶融物流は、漏斗状チャネル１９によって転向され、それによって、デフレクタ本体２６から流出するとき、循環流から均一な環状流に変換されて、ノズル出口３６を出て、高品質で均質な成形品を形成する。
【００３１】
ここで図５、６および６Ａを参照すると（類似の特徴は類似の番号を有する）、射出成形ノズル・チップ・アセンブリ２００を備える本発明の別の好ましい実施形態が示されている。この実施形態では、前述のサイド・フィード・マンドレル・ダイの原理が、射出ノズル・アセンブリのチップに適用されている。一般に「ホットチップ」と称されているこの好ましい実施形態は、前の実施形態で示したようなバルブステムのないノズルを備える。
【００３２】
細長い第１の溶融物通路２８が、溶融物をチップ４４へ通すためにスリーブ４０内に配置される。スリーブ４０は、ノズル本体２４の内側に堅く固定され、チップ４４をノズル本体２４内に同軸に捕捉する。好ましい実施形態では、スリーブは、ノズル本体２４内に螺着され、チップ４４の上部フランジに当接される。溶融物がノズル・アセンブリを通って流れるとき、溶融物の温度を維持するために、ヒータ１１６が、ノズル本体２４の外側を包囲している。
溶融物は、第１の溶融物通路２８を通って流れ、チップ通路４６を通ってさらに流入口１８へと連絡される。したがって、流れは、トーピード１２の周囲で向きを変えられ即ち転向され、外側の壁１６によってさらに画定される漏斗状チャネル１９を通る。この構成では、溶融物流は、均一な環状流としてノズル出口３６から流出する。チップ４４の背後のよどみ点の除去は、溶融物がチップ４４の背部へ流れ回るようにすることによって達成される。
【００３３】
図６を参照すると、チップ４４の両側へ溶融物流を通す第２のチップ通路４６の追加を除いて、図５と同様であるノズル・アセンブリが示されている。また、第２の対称トーピード１２および外側の壁１６が、第２の漏斗状チャネル１９を画定するように設けられている。
図６Ａに示されている別の好ましい実施形態も、溶融物をチップ４４へ通すための２つのチップ通路４６を有する。しかし、この実施形態では、トーピード１２は除去されている。この構成は、その製造コストがより安いため、より厳しくない用途に対して有利であるかもしれない。
【００３４】
ここで図９を参照すると（類似の特徴が類似の番号を有する）、テーパ付けされた流れ表面を有するデフレクタ本体２６を備える本発明の別の好ましい実施形態が示されている。サイド・フィード・マンドレル・ダイの原理は、特に漏斗状チャネル１９の領域内で、溶融物が流れの障害物の周囲でそらされたとき、テーパ付けされた流れ表面が、溶融物内で生じる圧力降下を実質的に減少させるのを助けることを示している。トーピード１２および外側の壁１６は、漏斗状チャネル１９を備えるテーパ付けされた表面に沿って形成されている。テーパ付けされたデフレクタ本体２６は、マニホールド１３８内のテーパ付き受け孔内に挿入され、テーパ付けされた表面を衝合することによって整合状態が維持される。デフレクタ本体２６の溶融物チャネル１４２との整合状態をさらに維持するために、前の実施形態で示した位置決めピンと同様の位置決めピンを使用してもよい。
【００３５】
このテーパ付けされたチャネル構成は、上述の実施形態で使用することもできる。特に、図２、２ｂ、３、４、５、６および６Ａに示した実施形態はすべて、溶融物が障害物の周囲を流れるときの溶融物の圧力降下を減少させるために、テーパ付けされた流れ表面の使用を組み込むことができる。
【００３６】
前の実施形態はすべて、バルブステム３２を包囲するデフレクタ本体２６の部分としてトーピード１２および外側の壁１６を使用することを示しているが、トーピード１２および外側の壁１６は、バルブステム３２の外側表面上に直接配置することが容易に可能である。しかし、この手法の不利な点は、デフレクタ・ハウジングによって提供されるバルブステムの支持の減少であり、このことは、バルブステムの磨耗の加速に至る場合がある。この欠点に加えて、バルブステムとマニホールド・チャネルとの整合状態を維持するための位置合わせ機能を組み込むこともまた必要となる。
【００３７】
ここで図１０を参照すると、本発明の背景にある基本原理を示す簡略化された平坦な構造が示されている。押出し成形分野で知られているコート・ハンガ・マニホールド原理（coat hanger manifold principles）と同様に、溶融物流は、流入口３１８のチャネル３１９へ所定の角度で流入することとなる。溶融物は、その後、分割されて、チャネルの端部３１６に到達するまで対称チャネル３１９の両側に等しく流れる。チャネル３１９は徐々に減少する断面を有するように形成され、それによって、溶融物がチャネル３１９を下流へ移動するとき、より多くの溶融物が、チャネル３１９から溢れ出て環状領域３２０内へ入り出口３１７へ向かう。この構成では、溶融物は、図中の矢印で示すようにほぼ均一な流れＶを呈して出口３１７へ到達することになる。溶融物がチャネル３１９を通って移動するとき、一定の圧力降下を維持するために、流入口３１８から端部３１６へのチャネル３１９内の体積流量は、線形的な態様においてゼロへ降下しなければならない。均一な体積流量を維持するために、環状領域３２０が、その長手方向軸に沿った均一な断面領域によって画定されている。
【００３８】
ここで図１１、１１ａ、１１ｂを参照すると、本発明の好ましい実施形態による共射出成形ホットランナ・ノズル３１１が、概略的に示されている。この好ましい実施形態は、図１０に示すようなデバイスを含み、デフレクタ本体３２６の周囲を囲んでいる。デフレクタ本体３２６は、ノズル本体３２４と同軸を有し、ノズル本体３２４内に挿入され、溶融物がデフレクタ本体３２６とほぼ垂直な流入口３１８内へ流入するように第２の溶融物通路３３０と整合されている。この整合状態は、位置決めピン３３４によって固定される。位置決めピン３３４は、ねじ、リベット、スプリングピン、ダウエルピンなど（しかし、それに限定されない）を含む当技術分野で知られているいかなる適切な整合手段であってもよい。デフレクタ本体３２６は、射出成形機（不図示）またはホットランナ・マニホールド（これも不図示）からの第１の溶融物を通すための、第２の溶融物通路３３０と整合された第１の溶融物通路３２８をさらに備える。
【００３９】
バルブステム３３２が、デフレクタ本体３２６の内部に配置され、その長さにわたって延在している第３の溶融物通路３３３を通って延びている。第３の溶融物通路３３３が、金型キャビティへの第２の溶融物流を通すために設けられている。バルブステム３３２は、当技術分野でよく知られているように、上向きおよび下向きの移動を通じて、ノズル出口３３６を通る２つの溶融物流の流れを開始および停止し、それによって金型キャビティの充填を制御するように選択的に位置調整される。共射出成形として一般に知られているこの構成では、金型キャビティは、多色、異種等のために、２つまたはそれ以上の異なる溶融物によって充填されてもよい。
【００４０】
溶融物が第２の溶融物通路３３０から流入口３１８へ流れるとき、溶融物は、バルブステム３３２の長手方向軸にほぼ垂直なデフレクタ本体３２６の外壁に当たる（しかし、垂直でない流れの衝突も容易に成し得る）。チャネル３１９が存在しない場合、溶融物は、流入口３１８に最も近いデフレクタ本体３２６の面に沿って流れることとなり、それによって、デフレクタ本体３２６の背後によどみ点を生じさせる。しかし、この好ましい実施形態では、溶融物は、チャネル３１９内に流入し、デフレクタ本体３２６の周囲を流れるように方向付けられ、それによって、よどみ点の形成が除去される。より多くの溶融物がチャネル３１９から出ていくように、溶融物がチャネル３１９を通って流れるにつれて、チャネルの深さおよび幅は次第に減少している。このことは、均一な断面を有する環状領域３２０を通る環状流へ流れを徐々に遷移させ、それによって、溶融物が出口３１７に到達するときまでに均一な速度プロフィールが達成され、その結果高品質の成形品が形成される。
【００４１】
図１１ｂには、図１１に示したものと類似の２重取入口共射出成形ノズルが示されている。これら２つの好ましい実施形態の顕著な違いは、もう一方の第１の溶融物通路に直径方向に対向する追加の第１の溶融物通路３２８ａの使用である。溶融物チャネルは、直径方向に対向させることが必須ではないことに留意されたい。この実施形態では、同一のチャネル３１９および３１９ａが設けられている。この構成では、よどみ点の除去および均一な環状流速の生成もまた達成される。
【００４２】
図１２を参照すると（類似の特徴は類似の番号を有する）、本発明による別の好ましい実施形態が、概略的に示されている。プラスチック材料を金型または類似のもの中へ射出するためのホットランナ・バルブ・ゲート・システム４００が、示されている。システムは、バッキング・プレート４０２およびマニホールド・プレート４０４を含む。金型ベース４０６（金型用板材）が、マニホールド・プレート４０４にさらに取り付けられている。
システムは、溶融したプラスチック材料を金型（不図示）内へ導入するためのノズル・アセンブリ４０８と、供給源（不図示）からノズル・アセンブリ４０８へプラスチック材料を通すことを可能にするためのマニホールド／デフレクタ・ハウジング装置４１０とをさらに含む。マニホールド４３８内へ挿入され、それによって、マニホールド４３８を加熱するマニホールド・ヒータ４３９が示されており、マニホールド４３８はさらに、溶融物チャネル４４２およびデフレクタ・ハウジング・チャネル３１９内を流れるプラスチックを加熱する。デフレクタ・ハウジング４３０は、マニホールド４３８の孔４４３内に挿入される。
【００４３】
図１２に示すように、ノズル・アセンブリ４０８は、ノズル本体４１２と、チップ４１４と、ノズル・ヒータ４１６と、ばね手段４１８と、ノズル・インシュレータ４１３とから成る。ノズル本体４１２は、典型的には鋼製であるが、チップ４１４は、ベリリウム／銅などの当技術分野で知られているいかなる適切な高い熱伝導性の材料から形成されてもよい。ノズル本体４１２は、溶融したプラスチック材料がそれを通って流れる軸方向チャネル４２０を有する。チップ４１４は、軸方向チャネル４２０の終端部分を包囲している。
必要に応じて、ノズル・チップ４１４は、ノズル・チップ４１４の下流側の端部を熱的に絶縁するシース４２２を含んでもよい。シース４２２は、予め製造された樹脂製材料から形成されてもよい。別法として、シース４２２は、第１の作動サイクルで射出された樹脂のオーバー・フローから形成されてもよい。ノズル・インシュレータ４１３は、マニホールド・プレート４０４のキャビティ内に設置され、ノズル本体４１２とマニホールド・プレート４０４の間の熱伝達を減少させるように作用し、それによって、溶融したプラスチック材料が軸方向チャネル４２０を通って流れるときの溶融したプラスチック材料の高い温度を維持する。ノズル・インシュレータ４１３は、チタニウムなどの当技術分野で典型的に知られているいかなる適切な絶縁材料から形成されてもよい。
【００４４】
ノズル・ヒータ４１６は、ケーブル４２４を用いて電流が導入される、当技術分野で知られているいかなる適切な電気式ヒータであってもよい。図１２に示すように、ノズル・ヒータ４１６は、ノズル本体４１２の一部を包囲している。
ノズル本体４１２内のゲート４２８の開閉を可能にするためにバルブステム４２６が設けられている。バルブステム４２６は、デフレクタ・ハウジング４３０の通路を通ってノズル本体４１２内へ延びる鋼製のロッドによって形成されてもよい。ゲート４２８とは反対側のバルブステム４２６の端部は、止めねじ４５４によってピストン・ヘッド４３１に接続されている。
ピストン・ヘッド４３１が、デフレクタ・ハウジング４３０の上部先端部を含み、かつ、円筒形壁面４３４によって形成されている円筒ハウジング内に収容されている。ピストン・ヘッド４３１の上から下への動きによって、バルブステム４２６が、溶融したプラスチック材料の流れを制限するために、ゲート４２８の断面積を減少させるまたは閉じる位置へ移動する。ピストン・ヘッド４３１の下から上への動きによって、バルブステム４２６が、ゲート４２８を通る溶融したプラスチック材料の流れを増加させるように移動する。
【００４５】
この好ましい実施形態のホットランナ・システムはまた、マニホールド４３８およびその中の孔４４３に挿入されたデフレクタ・ハウジング４３０から成るマニホールド／デフレクタ装置４１０を含む。位置決めピン４２９が、デフレクタ・ハウジング４３０の溶融物チャネル４４２に対する整合状態を固定する。マニホールド４３８が、プレート４０２および４０４の間に収容された分配プレートによって形成されるが、エアギャップ４４０によってそれらから分離される。バッキング・プレート４０２は、複数の高張力ボルト（不図示）によってマニホールド・プレート４０４に堅く固定され、その高張力ボルトは、周期的な成形プロセス中に発生する大きな力に耐えなければならない。
【００４６】
マニホールドは、溶融したプラスチック材料を供給源（不図示）から各金型に関連付けられたゲート４２８へ移送するためのホットランナ・システムの一部を形成している溶融物チャネル４４２を含む。マニホールドは、デフレクタ・ハウジング４３０を挿入する孔４４３をさらに含む。マニホールド４３８は、当技術分野で知られているいかなる適切な金属製または熱伝導性の材料で形成されてもよい。マニホールド・ヒータ４３９は、当技術分野でよく知られており、典型的には、マニホールド４３８の溝内に着座する円筒形の断面を有するワイヤ／セラミック抵抗タイプ・ヒータを備える。
デフレクタ・ハウジング４３０が、バルブステム４２６の一部を包囲し、それを案内する。このバルブステムの支持の増加が、バルブステムの磨耗を減少させ、バルブステムの寿命をかなり伸ばすため、このことは本発明の重要な利点である。バルブステムの寿命が伸びる結果、維持コストおよび機械の休止時間が減少するであろう。
デフレクタ・ハウジング４３０は、当技術分野で知られているいかなる適切な材料（通常鋼製）からでも形成でき、最上部からマニホールド４３８内に挿入されるように構成されている。図１２に示すように、デフレクタ・ハウジング・チャネル３１９は、マニホールド４３８内の溶融物チャネル４４２およびノズル・アセンブリ４０８の軸方向チャネル４２０と交わっている。
【００４７】
溶融物が溶融物チャネル４４２から流入口３１８へ流れるとき、溶融物は、バルブステム４２６の長手方向軸にほぼ垂直に、デフレクタ・ハウジング４３０の外壁に当たる（しかし、垂直でない流れの衝突も容易になし得る）。チャネル３１９が存在しない場合、溶融物は、流入口３１８に最も近いデフレクタ・ハウジング４３０の面に沿って流れることとなり、それによって、デフレクタ・ハウジング４３０の背後によどみ点を生じさせる。しかし、この好ましい実施形態では、溶融物は、チャネル３１９内に流入し、デフレクタ・ハウジング４３０の周囲を流れるように方向付けられ、それによって、よどみ点の形成が除去される。より多くの溶融物がチャネル３１９から出ていくように、溶融物がチャネル３１９を通って流れるにつれて、チャネルの深さおよび幅は減少している。このことは、流れを環状流へ徐々に遷移させ、それによって、溶融物が出口３１７に到達するときまでに均一な速度プロフィールが達成され、その結果高品質の成形品が形成される。
【００４８】
前の実施形態は、ノズル本体３２４（図１１）と別個のデフレクタ本体３２６（図１１）を説明しているが、すべての必要な特徴を組み込んだ単一のブシュを容易に製造することができることに留意されたい。
【００４９】
ここで図１３を参照すると（類似の特徴は類似の番号を有する）、本発明による別の好ましい実施形態が、概略的に示されている。この実施形態では、デフレクタ本体３２６は、シングル溶融ノズルとしてノズル本体３２４内に挿入された単一のブシュである。
ここにおいても、バルブステム３３２が、デフレクタ本体３２６を通って挿入され、それによって、溶融物をバルブステムの背部の周囲に方向付けしながら、バルブステム３３２を支持し、案内する。前の実施形態と同様に、溶融物は、溶融物チャネル４４２から、デフレクタ本体３２６の上部フランジ内に配置された第１の溶融物通路３２８を通って流れる。溶融物チャネル４４２と第１の溶融物通路３２８の間の整合状態は、位置決めピン３３４によって維持される。次に、溶融物は、ノズル本体３２４の内側に配置された第２の溶融物通路３３０を通って流れる。
【００５０】
その後、溶融物は、流入口３１８でデフレクタ本体３２６に接して方向付けられ、そこで、流れがチャネル３１９によってバルブステム３３２の背後へ回り込むように転向される。溶融物流は、チャネル３１９によって転向され、チャネル３１９から徐々に溢れ出て環状領域３２０へ入る。それによって、デフレクタ本体３２６の出口３１７に到達したときには、循環流から均一な環状流に変換されて、ノズル出口３３６から出て、高品質で均質な成形品を形成する。
【００５１】
ここで図１４および１５を参照すると（類似の特徴は類似の番号を有する）、射出成形ノズル・チップ・アセンブリ３００を備える本発明の別の好ましい実施形態が示されている。この実施形態では、前述のコート・ハンガ・マニホールドの原理が、射出ノズル・アセンブリのチップに適用されている。一般に「ホットチップ」または「ピン・ポイント」と称されているこの好ましい実施形態は、前の実施形態で示したようなバルブステムのないノズルを備える。
【００５２】
細長い第１の溶融物通路３２８が、溶融物をチップ３４４へ通すためにスリーブ３４０内に配置される。スリーブ３４０は、ノズル本体３２４の内側に堅く固定され、チップ３４４をノズル本体３２４内に同軸に捕捉する。好ましい実施形態では、スリーブは、ノズル本体３２４内に螺着され、チップ３４４の上部フランジに当接される。溶融物がノズル・アセンブリを通って流れるとき溶融物の温度を維持するために、ヒータ４１６が、ノズル本体３２４の外側を包囲している。
溶融物は、第１の溶融物通路３２８を通って流れ、さらにチップ通路３４６を通って流入口３１８に流れる。したがって、流れは、チャネル３１９に伝わっていく。この実施形態では、溶融物流は、均一な環状流としてノズル出口３３６から出る。チップ３４４の背後のよどみ点の除去は、溶融物をチップ３４４の背後のまわりに強制的に流れるようにすることによって達成される。
【００５３】
図１５を参照すると、チップ３４４の両側へ溶融物流を通す第２のチップ通路３４６の追加を除いて、図１４と同様なノズル・アセンブリが示されている。また、第２の対称チャネル３１９が設けられている。ここで、溶融物は、チャネル３１９内へ流れ、徐々に溢れ出し、溶融物が出口３１７に到達するまでに全て環状流となる。
【００５４】
図１６ａおよび１６ｂを参照すると、本発明による別の好ましい実施形態が示されている。これらの実施形態では、チャネル３１９は、曲線状の輪郭を有する溝ではなく、角ばった溝の輪郭の溝から形成されている。図１６ａでは、チャネル３１９は、一定の角度で下向きに傾斜しているが、図１６ｂでは、チャネル３１９は、デフレクタ本体３２６に沿ったチャネル３１９の経路を画定する半径を有している。
【００５５】
図１７を参照すると、本発明による別の好ましい実施形態が示されている。この実施形態では、対向するチャネル３１９’が、溶融物流をデフレクタ本体３２６の周囲にさらに方向付けるためにマニホールド４３８内に形成されている。チャネル３１９と３１９’とが組み合わされてより深いチャネルを形成し、溶融物をデフレクタ本体３２６の背部の周囲に方向付ける。ここでも、溶融物は、チャネル３１９および３１９’から徐々に溢れ出して、よどみ点を除去して流れを均一な環状流に変換する。溶融物流の原理のため、この実施形態は、溶融物の特性の最小量の変動を呈することになり、最小量の変動で成形品を生成することになる。
【００５６】
ここで図１８を参照すると（類似の特徴が類似の番号を有する）、テーパ付けされた流れ表面を有するデフレクタ本体３２６を備える本発明の別の好ましい実施形態が示されている。コート・ハンガ・マニホールド原理（coat hanger man-ifold principles）は、特にチャネル３１９の領域内のテーパ付けされた流れ表面が、溶融物が流れの障害物の周囲で転向される際、溶融物に生じる圧力降下を実質的に減少させるのを助けることを示した。テーパ付けされたデフレクタ本体３２６は、マニホールド４３８内のテーパ付き受け孔内に挿入され、当接するテーパ付き表面によって整合状態が維持される。デフレクタ本体３２６の溶融物チャネル４４２との整合状態をさらに維持するために、前の実施形態で示した位置決めピンと同様の位置決めピンを使用してもよい。
このテーパ付けされたチャネル構成を、すべての前述の実施形態で使用することもできる。これらの実施形態はすべて、溶融物が障害物の周囲を流れるときの溶融物の圧力降下を減少させるためにテーパ付けされた流れ表面の使用を組み込むことができる。
【００５７】
前の実施形態はすべて、バルブステム３３２を包囲するデフレクタ本体３２６におけるチャネル３１９を使用することを示しているが、チャネル３１９は、バルブステム３３２の外側表面上に直接配置することが容易に可能である。しかし、この手法の不利な点は、デフレクタ・ハウジングによって提供されるバルブステムの支持の減少であり、このことは、バルブステムの磨耗を加速させることに至る場合がある。この欠点に加えて、バルブステムとマニホールド・チャネルとの整合状態を維持するための整合機能を組み込むこともまた必要となる。
【００５８】
図１９を参照すると、チャネル３１９がブシュ４３１と一体に形成された本発明の別の実施形態が示されている。この実施形態では、チャネル３１９が、デフレクタ本体ではなくバルブステム４２６の周囲を流れるように溶融物を方向付ける。この実施形態は、前の実施形態で示したように追加のバルブステムの支持を減少させる。
【００５９】
本発明は、本発明の実施の最良の形態を例示する目的でここで説明した図に限定されず、形状、大きさ、部品の構成および動作の詳細に変更が加えられることを理解されたい。本発明は、特許請求の範囲によって定義されたようなその精神および範囲内にある、このような修正形態をすべて含むように意図されている。
【図面の簡単な説明】
【００６０】
【図１】サイド・フィード・マンドレル・ダイの基本的原理を示す概略図である。
【図１Ａ】サイド・フィード・マンドレル・ダイの基本的原理を示す概略図である。
【図２】共射出成形ホットランナ・ノズルにおける本発明の好ましい実施形態の部分断面図である。
【図２ａ】本発明の好ましい実施形態の概略等角図である。
【図２ｂ】２つの溶融物流入口を備える共射出成形ノズルにおける本発明の別の好ましい実施形態の部分断面図である。
【図３】射出成形システムにおいてバルブ・ゲート・ノズルを備える、本発明の別の好ましい実施形態の断面図である。
【図４】バルブ・ゲート・ノズル・アセンブリを備える本発明の別の好ましい実施形態の断面図である。
【図５】ホットランナ・ノズルのノズル・チップ・アセンブリを備える本発明の別の好ましい実施形態の断面図である。
【図６】２つの溶融物流入口を備えるノズル・チップを備える本発明の別の好ましい実施形態の断面図である。
【図６Ａ】２つの溶融物流入口を備えるノズル・チップを備える本発明の別の好ましい実施形態の断面図である。
【図７】よどみ点および均一でない環状流速度を呈する従来技術の断面図である。
【図８】よどみ点および均一でない環状流速度を呈する従来技術の断面図である。
【図９】テーパ付けされた表面を有する射出ノズル・アセンブリを備える本発明の別の好ましい実施形態の部分断面図である。
【図１０】コート・ハンガ・マニホールドの基本原理を示す概略図である。
【図１１】共射出成形ホットランナ・ノズルにおける本発明の好ましい実施形態の部分断面図である。
【図１１ａ】本発明の好ましい実施形態の概略等角図である。
【図１１ｂ】２つの溶融物流入口を備える共射出成形ノズルにおける本発明の別の好ましい実施形態の部分断面図である。
【図１２】射出成形システムにおけるバルブ・ゲート・ノズルを備える本発明の別の好ましい実施形態の断面図である。
【図１３】バルブ・ゲート・ノズル・アセンブリを備える本発明の別の好ましい実施形態の断面図である。
【図１４】ホットランナ・ノズルのノズル・チップ・アセンブリを備える本発明の別の好ましい実施形態の断面図である。
【図１５】２つの溶融物流入口を備えるノズル・チップを備える本発明の別の好ましい実施形態の部分断面図である。
【図１６ａ】本発明によるフロー・デフレクタの部分断面図である。
【図１６ｂ】本発明によるフロー・デフレクタの部分断面図である。
【図１７】本発明の好ましい実施形態によるフロー・デフレクタの部分断面図である。
【図１８】テーパ付けされた表面を有する射出ノズル・アセンブリを備える本発明の別の好ましい実施形態の部分断面図である。
【図１９】ブシュ内に形成されたフロー・デフレクタを備える本発明の別の好ましい実施形態の部分断面図である。
【図１】
2004520189.tif 000003
【図１Ａ】
2004520189.tif 000004
【図２】
2004520189.tif 000005
【図２ａ】
2004520189.tif 000006
【図２ｂ】
2004520189.tif 000007
【図３】
2004520189.tif 000008
【図４】
2004520189.tif 000009
【図５】
2004520189.tif 000010
【図６】
2004520189.tif 000011
【図６Ａ】
2004520189.tif 000012
【図７】
2004520189.tif 000013
【図８】
2004520189.tif 000014
【図９】
2004520189.tif 000015
【図１０】
2004520189.tif 000016
【図１１】
2004520189.tif 000017
【図１１ａ】
2004520189.tif 000018
【図１１ｂ】
2004520189.tif 000019
【図１２】
2004520189.tif 000020
【図１３】
2004520189.tif 000021
【図１４】
2004520189.tif 000022
【図１５】
2004520189.tif 000023
【図１６ａ】
2004520189.tif 000024
【図１６ｂ】
2004520189.tif 000025
【図１７】
2004520189.tif 000026
【図１８】
2004520189.tif 000027
【図１９】
2004520189.tif 000028
【国際公開パンフレット】
2004520189.tif 000029
2004520189.tif 000030
2004520189.tif 000031
2004520189.tif 000032
2004520189.tif 000033
2004520189.tif 000034
2004520189.tif 000035
2004520189.tif 000036
2004520189.tif 000037
2004520189.tif 000038
2004520189.tif 000039
2004520189.tif 000040
2004520189.tif 000041
2004520189.tif 000042
2004520189.tif 000043
2004520189.tif 000044
2004520189.tif 000045
2004520189.tif 000046
2004520189.tif 000047
2004520189.tif 000048
2004520189.tif 000049
2004520189.tif 000050
2004520189.tif 000051
2004520189.tif 000052
2004520189.tif 000053
2004520189.tif 000054
2004520189.tif 000055
2004520189.tif 000056
2004520189.tif 000057
2004520189.tif 000058
2004520189.tif 000059
2004520189.tif 000060
2004520189.tif 000061
2004520189.tif 000062
2004520189.tif 000063
2004520189.tif 000064
2004520189.tif 000065
2004520189.tif 000066
2004520189.tif 000067
2004520189.tif 000068
2004520189.tif 000069
2004520189.tif 000070
2004520189.tif 000071
2004520189.tif 000072
2004520189.tif 000073
2004520189.tif 000074
2004520189.tif 000075
2004520189.tif 000076
2004520189.tif 000077
2004520189.tif 000078
2004520189.tif 000079
2004520189.tif 000080
2004520189.tif 000081
2004520189.tif 000082
2004520189.tif 000083
2004520189.tif 000084
2004520189.tif 000085
2004520189.tif 000086
2004520189.tif 000087
【手続補正書】
【提出日】平成15年8月6日(2003.8.6)
【手続補正１】
【補正対象書類名】特許請求の範囲
【補正対象項目名】全文
【補正方法】変更
【補正の内容】
【特許請求の範囲】
【請求項１】
少なくとも１つの溶融物チャネル（１４２）によって流動する媒体を少なくとも１つのノズル・アセンブリ（１０８）に連絡するためのホットランナ・マニホールド（１３８）を有する射出成形システムのためのフロー・デフレクタであって、
該フローデフレクタは、ほぼ円筒形のデフレクタ本体（２６）を含み、前記デフレクタ本体が、流入口（１８）と、流出口（１７）と、前記流入口と前記流出口の間の分流チャネルとを有し、前記分流チャネルは、
第１の曲線状の壁（１６）が、前記円筒形の本体（２６）の周囲に延びており、トーピード（１２）が第２の壁（１４）を有し、前記第１および第２の壁が、前記分流チャネルの第１の部分においてほぼ同一の広がりとされていて、前記分流チャネルの第２の部分において互いに離れていくようにされており、前記分流チャネルの前記第１の部分が、前記分流チャネルの前記第２の部分への均一な断面（２２）の排出領域を提供し、前記分流チャネルの前記第２の部分が、前記円筒形のデフレクタ本体に沿うほぼ均一な環状流で前記流動する媒体を前記出口（１７）において排出する拡がり漏斗部（１９）を提供することを特徴とする、フロー・デフレクタ。
【請求項２】
前記第１の壁（１６）および前記第２の壁（１４）が、ほぼ同じ長さである、請求項１に記載のフロー・デフレクタ。
【請求項３】
該トーピード（１２）が、デフレクタ本体（２６）の外側表面に付加された涙状の突起部から成る、請求項１に記載のフロー・デフレクタ。
【請求項４】
前記曲線状の壁（１６）が、デフレクタ本体（２６）の外側表面に沿って外側表面を囲み、該流出口（１７）に隣接する点まで延びている、請求項１に記載のフロー・デフレクタ。
【請求項５】
該デフレクタ本体（２６）内に摺動自在に挿入され、媒体の流れを開始および停止するように作動可能に位置調整される、バルブステム（３２）をさらに備え、
該曲線状の壁（１６）および該トーピード（１２）が、前記デフレクタ本体（２６）の外側表面上に形成されている、請求項１に記載のフロー・デフレクタ。
【請求項６】
前記デフレクタ本体（２６）がテーパ付けされている、請求項５に記載のフロー・デフレクタ。
【請求項７】
該ノズル・アセンブリ（１０８）が、第２の溶融物通路（３０）および第３の溶融物通路（３３）をその中に有する細長いノズル本体（２４）を備え、該デフレクタ本体（２６）が、第３の溶融物通路内に配置されており、かつ第２の溶融物通路（３０）と連通している第１の溶融物通路（２８）を有し、該第２の溶融物通路（３０）が、該流入口（１８）と連通し、該バルブステム（３２）が、デフレクタ本体（２６）を通ってノズル本体（２４）のノズル出口（３６）へ作動可能に延びている、請求項５に記載のフロー・デフレクタ。
【請求項８】
該第１の溶融物通路（２８）および該流入口（１８）に対する該第２の溶融物通路（３０）の整合状態を維持するための位置決めピン（３４）をさらに備える、請求項７に記載のフロー・デフレクタ。
【請求項９】
該フロー・デフレクタが、該マニホールド（１３８）内に取り付けられ、該流入口（１８）が、該溶融物チャネル（１４２）と整合し、かつ、それと連通しており、該流出口（１７）が、ノズル・アセンブリ（１０８）と連通している、請求項１乃至６のいずれか１項に記載のフロー・デフレクタ。
【請求項１０】
該ノズル・アセンブリ（１０８）は、ノズル出口（３６）と、該ノズル出口（３６）に隣接するノズル・チップ（４４）と、流動する媒体をノズル出口（３６）へ送り込むための第１の溶融物通路（２８）とを有し、該ノズル・チップ（４４）が、第１の溶融物通路（２８）と整合しており、それと連通しているチップ通路（４６）を有し、該フロー・デフレクタが、該ノズル・チップ（４４）に組み込まれ、該チップ通路（４６）が該流入口（１８）と連通しており、該流出口（１７）が該ノズル出口（３６）と連通している、請求項１乃至４のいずれか１項に記載のフロー・デフレクタ。
【請求項１１】
該ノズル・チップが、該第１の溶融物通路（２８）と整合していて、それと連通している追加のチップ通路（４６）と、該追加のチップ通路（４６）と連通する追加の流入口（１８）と、追加の曲線状の壁（１６）と、該追加の曲線状の壁（１６）と離隔された内側の壁を有し、それによって該追加の流入口（１８）と該流出口（１７）の間の追加の漏斗状チャネル（１９）を画定する追加のトーピード（１２）とを有する、請求項１０に記載のフロー・デフレクタ。
【請求項１２】
該デフレクタ本体（２６）内に摺動自在に挿入され、媒体の流れを開始および停止するように作動可能に位置調整されるバルブステム（３２）をさらに備え、該曲線状の壁（１６）およびトーピード（１２）が、バルブステム（３２）上に形成されている、請求項１または２に記載のフロー・デフレクタ。
【請求項１３】
前記媒体を前記ノズル・ハウジング内の追加の前記第２の溶融物通路に通すために前記デフレクタ本体内に配置された追加の前記第１の溶融物通路と、
前記媒体を追加の前記トーピードの周囲に通すための追加の流入口と、
前記追加のトーピードと離隔され、それによって、前記媒体を前記流出口に通すための追加の漏斗状チャネルを形成する追加の曲線状の壁とをさらに備える、請求項７に記載のフロー・デフレクタ。
【請求項１４】
前記第２の溶融物通路および前記流入口に対する前記第一の溶融物通路の整合状態を維持するための位置決めピンをさらに備える、請求項１３に記載のフロー・デフレクタ。
【請求項１５】
前記ノズル出口を開放および狭窄させる前記バルブステムの移動のために前記バルブステムに取り付けられたピストン・ヘッドをさらに備える、請求項５または１２に記載のフロー・デフレクタ。
【請求項１６】
前記ノズル・アセンブリに熱を伝えるヒータをさらに備える、請求項１５に記載のフロー・デフレクタ。
【請求項１７】
前記フロー・チャネルと前記流入口との正確な整合状態を維持するための位置決めピンをさらに備える、請求項１６に記載のフロー・デフレクタ。
【請求項１８】
前記ノズル・アセンブリを前記マニホールドへ付勢するために前記ノズル・アセンブリと連絡しているばね手段をさらに備える、請求項１７に記載のフロー・デフレクタ。
【請求項１９】
前記トーピードが、涙状の突起部から成る、請求項５または１２に記載のフロー・デフレクタ。
【請求項２０】
前記曲線状の壁が、前記デフレクタ・ハウジングの外側表面を囲み、かつ、それに沿って、前記流出口に隣接する点へ延びている、請求項５に記載のフロー・デフレクタ。
【請求項２１】
前記バルブステムが、前記デフレクタ本体と同軸状に配置されている、請求項５に記載のフロー・デフレクタ。
【請求項２２】
少なくとも１つの溶融物チャネル（４４２）によって少なくとも１つのノズル・アセンブリ（４０８）に流動する媒体を連絡するためのホットランナ・マニホールド（４３８）を有する射出成形システムのためのフロー・デフレクタであって、
該フロー・デフレクタは、ほぼ円筒形のデフレクタ本体（４３０）を含み、前記デフレクタ本体が、流入口（３１８）と、流出口（３１７）と、前記流入口と前記流出口の間の分流チャネル（３１９）とを有し、前記分流チャネルは、
チャネルが、前記デフレクタ本体の周囲において下向きの方向に延在し、
前記分流チャネルが、前記流動する媒体の流れ通路において減少する断面領域を有し、該チャネルを通って方向付けられた流動する溶融物が、ほぼ線形に減少する体積流量を呈し、それによって前記流動する媒体の前記デフレクタ本体に沿った環状の流れチャネル（３２０）へ緩やかなオーバーフローを提供して、前記流動する媒体の均一な環状流を生成することを特徴とする、射出成形システム用フロー・デフレクタ。
【請求項２３】
前記流出口が、均一な環状断面領域からなる、請求項２２に記載のフロー・デフレクタ。
【請求項２４】
バルブステムをさらに備え、
前記バルブステムが、前記デフレクタ本体内に摺動自在に挿入されて、前記媒体の流れを開始および停止するように作動可能に位置調整され、
前記デフレクタ・チャネルが、前記デフレクタ本体の外側表面上に形成されている、請求項２２に記載のフロー・デフレクタ。
【請求項２５】
前記デフレクタ本体がテーパ付けされている、請求項２３に記載のフロー・デフレクタ。
【請求項２６】
前記デフレクタ本体内に摺動自在に挿入され、前記媒体の流れを開始および停止するように作動可能に位置調整されるバルブステムをさらに備え、
前記デフレクタ・チャネルが、前記バルブステムの外側表面上に形成されている、請求項２２に記載のフロー・デフレクタ。
【請求項２７】
前記ノズル・アセンブリ（４０８）が、
第３の溶融物通路をその中に有する細長いノズル本体と、
前記ノズル本体の前記第３の溶融物通路内に挿入された前記デフレクタ本体と、
前記デフレクタ本体を通って、前記ノズル本体のノズル出口へ作動可能に延びる前記バルブステムと、
前記媒体を前記ノズル本体内の第２の溶融物通路へ通すための前記デフレクタ本体内の第１の溶融物通路とを含む、請求項２４に記載のフロー・デフレクタ。
【請求項２８】
前記第２の溶融物通路および前記流入口に対する前記第１の溶融物通路の整合状態を維持するための位置決めピンをさらに備える、請求項２７に記載のフロー・デフレクタ。
【請求項２９】
前記ノズル本体内において前記媒体を追加の前記第２の溶融物通路に通すために前記デフレクタ本体内に配置された追加の前記第１の溶融物通路と、
前記媒体を追加の前記デフレクタ・チャネルを通すための追加の流入口と、
前記媒体を前記流出口へ通すために前記デフレクタ本体の外側に形成された追加のほぼ対称なデフレクタ・チャネルとをさらに備える、請求項２７に記載のフロー・デフレクタ。
【請求項３０】
前記第２の溶融物通路および前記流入口に対する前記第１の溶融物通路の整合状態を維持するための位置決めピンをさらに備える、請求項２９に記載のフロー・デフレクタ。
【請求項３１】
ノズル出口を開閉するための前記バルブステムの移動のために前記バルブステムに取り付けられたピストン・ヘッドをさらに備える、請求項２４または２７に記載のフロー・デフレクタ。
【国際調査報告】
2004520189.tif 000088
2004520189.tif 000089